(57)【要約】【課題】  ユーザおよび店舗の双方にメリットのある特典をユーザに付与できる特典付与装置を提供する。【解決手段】  特典付与装置は、前記携帯端末からその位置情報を取得する取得部と、前記位置情報により前記携帯端末が所定のエリア内にあるか否かを判定する判定部と、前記携帯端末から当該携帯端末を持つユーザの歩数を表す歩数情報を取得し、前記判定部で前記携帯端末が所定のエリア内にあると判定された場合で、かつ前記算出された歩数値が所定の閾値を超えた場合に、前記携帯端末またはユーザに対し予め設定された１以上の第１の特典を付与するための処理を実行する付与処理部と、を備える。【選択図】図１
2020017121.tif 000002
【特許請求の範囲】
【請求項１】
携帯端末からその位置情報を取得する取得部と、
前記位置情報により前記携帯端末が所定のエリア内にあるか否かを判定する判定部と、
前記携帯端末から当該携帯端末を持つユーザの歩数を表す歩数情報を取得し、当該歩数情報をもとに所定の起算点からの歩数値を算出する歩数算出部と、
前記判定部で前記携帯端末が所定のエリア内にあると判定された場合で、かつ前記算出された歩数値が所定の閾値を超えた場合に、前記携帯端末またはユーザに対し予め設定された１以上の第１の特典を付与するための処理を実行する付与処理部と、
を備える特典付与装置。
【請求項２】
前記付与処理部は、前記算出された歩数値が前記閾値よりも大きい第２閾値を超えた場合に、前記１以上の第１の特典よりも付加価値の度合いが高い１以上の第２の特典を前記携帯端末またはユーザに付与する処理を、さらに実行する、請求項１に記載の特典付与装置。
【請求項３】
前記携帯端末を持つユーザが階段を上り下りする際の昇降歩数をカウントする第２歩数算出部を、さらに備え、
前記付与処理部は、前記昇降歩数が第３閾値を超えた場合に、前記１以上の第１の特典または前記１以上の第２の特典とは異なる１以上の第３の特典を前記携帯端末またはユーザに対し付与する処理を、さらに実行する、請求項１又は請求項２に記載の特典付与装置。
【請求項４】
前記特典付与装置は、さらに、前記ユーザの識別情報を含む属性情報と前記属性情報と紐づけられた第４の特典を表す情報とを蓄積したサーバとの間で、情報の転送が可能であり、
前記付与処理部は、前記ユーザの識別情報に基づいて前記サーバから当該識別情報を含む前記属性情報に紐づけられた第４の特典を表す情報を取得し、当該取得された第４の特典を表す情報に基づいて、当該情報により表される第４の特典を前記携帯端末または前記ユーザに対し付与するための処理を、さらに実行する、請求項１ないし３のいずれか１項に記載の特典付与装置。
【請求項５】
前記ユーザの生体データを含む計測情報を取得する計測情報取得部を、さらに備え、
前記付与処理部は、前記取得された計測情報に含まれる生体データの値が予め設定された標準的な範囲から外れている場合に、健康に寄与する商品又はサービスに関する第５の特典を付与するための処理を、さらに実行する、請求項１ないし４のいずれか１項に記載の特典付与装置。
【請求項６】
前記所定のエリアは、複数の店舗からなる商業施設を含むように設定される請求項１ないし５のいずれか１項に記載の特典付与装置。
【請求項７】
前記第１、第２、第３、第４、および第５の各特典は、前記複数の店舗に共通する特典である請求項６に記載の特典付与装置。
【請求項８】
前記特典付与装置は、複数の前記商業施設の施設内の地図情報を蓄積したサーバとの間で情報転送が可能であり、
前記付与処理部は、前記起算点に対応する地点を含むフロアとは異なるフロアの前記店舗に関係する１以上の第６の特典を前記携帯端末または前記ユーザに対し付与するための処理を、さらに実行する、請求項６又は請求項７に記載の特典付与装置。
【請求項９】
前記所定のエリアは、単一の店舗を含むように設定される請求項１ないし５のいずれか１項に記載の特典付与装置。
【請求項１０】
前記起算点は、最初に前記所定のエリア内に前記携帯端末が位置すると判定された時点である請求項１ないし９のいずれか１項に記載の特典付与装置。
【請求項１１】
前記１以上の特典は、複数であり、
前記複数の特典のうち１以上を選択可能に前記複数の特典を前記ユーザに提示する制御部を、さらに有する請求項１ないし１０のいずれか１項に記載の特典付与装置。
【請求項１２】
前記第１の特典は、割引クーポンまたは割引ポイントである請求項１ないし１１のいずれか１項に記載の特典付与装置。
【請求項１３】
プロセッサおよび記憶媒体を備える特典付与装置が実行する特典付与方法であって、
携帯端末の位置情報を取得し、
前記位置情報に基づき前記携帯端末が所定のエリア内にあるか否かを判定し、
前記携帯端末を持つユーザの起算点からの歩数をカウントし、
前記携帯端末が所定のエリア内にあると判定された場合で、前記歩数が所定の閾値を超えた場合に前記携帯端末に少なくとも複数の特典を付与する、特典付与方法。
【請求項１４】
請求項１ないし１２のいずれか１項に記載の特典付与装置が備える各部としてコンピュータを機能させる特典付与プログラム。
【発明の詳細な説明】
【技術分野】
【０００１】
本発明の実施形態は、携帯端末に特典を付与可能な特典付与装置、特典付与方法、および特典付与プログラムに関する。
【背景技術】
【０００２】
例えば、特許文献１には、電子クーポン配布システムが開示されている。この電子クーポン配布システムでは、位置情報に基づいて店舗リストをクーポン管理サーバから取得して、ユーザによる店舗選択後にユーザに電子クーポンを付与する。電子クーポンの付与後、所定の条件を満たした場合に電子クーポンの施錠状態が解除され、ユーザが電子クーポンを使用することができる。
【先行技術文献】
【特許文献】
【０００３】
【特許文献１】特許第５９７２７６１号公報
【発明の概要】
【発明が解決しようとする課題】
【０００４】
今日、割引クーポン等が電子的に大量に提供されるようになった結果、割引クーポン等に対する目新しさがなくなり、割引クーポン等に対する魅力が低下しつつある。また、ユーザが目的とする商品・サービス以外の商品・サービスについて購入するモチベーションを創出することも難しくなっている。このため、特典に対する魅力を向上し、ユーザおよび店舗の双方にメリットのある特典を付与するシステムが望まれていた。
【０００５】
この発明は、一側面では、ユーザおよび店舗の双方にメリットのある特典をユーザに付与できる特典付与装置、特典付与方法、および特典付与プログラムを提供しようとするものである。
【課題を解決するための手段】
【０００６】
上記を解決するためこの発明の１つの態様にかかる特典付与装置は、携帯端末からその位置情報を取得する取得部と、前記位置情報により前記携帯端末が所定のエリア内にあるか否かを判定する判定部と、前記携帯端末から前記携帯端末を持つユーザの歩数を表す歩数情報を取得し、当該歩数情報をもとに所定の起算点からの歩数値を算出する歩数算出部と、前記判定部で前記携帯端末が所定のエリア内にあると判定された場合で、かつ前記算出された歩数値が所定の閾値を超えた場合に、前記携帯端末またはユーザに対し予め設定された１以上の第１の特典を付与するための処理を実行する付与処理部と、を備える。
【０００７】
この構成によれば、ユーザに対して歩行に対するモチベーションを付与できる。これによって、ユーザの歩行機会の増加が見込まれ、その結果ユーザの健康が促進される。一方、売り場を歩く距離が長くなると店舗の売上増加につながることが知られている。このため、店舗としても売上増加のメリットを享受できる。したがって、ユーザ、店舗の双方にメリットがある特典付与のシステムを実現できる。
【０００８】
上記を解決するためこの発明の他の態様にかかる特典付与装置において、前記付与処理部は、前記算出された歩数値が前記閾値よりも大きい第２閾値を超えた場合に、前記１以上の第１の特典よりも付加価値の度合いが高い１以上の第２の特典を前記携帯端末またはユーザに付与する処理を、さらに実行する。
【０００９】
この構成によれば、長距離の歩行に対して、ユーザにモチベーションを付与できる。ユーザが歩く距離が長くなれば、ユーザの健康が促進される。一方、店舗の売上増加の恩恵を受けうる。これによって、ユーザと、店舗との双方でメリットを享受できる。
【００１０】
上記を解決するためこの発明の他の態様にかかる特典付与装置は、前記携帯端末を持つユーザが階段を上り下りする際の昇降歩数をカウントする第２歩数算出部を備え、前記付与処理部は、前記昇降歩数が第３閾値を超えた場合に、前記１以上の第１の特典または前記１以上の第２の特典とは異なる１以上の第３の特典を前記携帯端末またはユーザに対し付与する処理を、さらに実行する。
【００１１】
この構成によれば、移動の際に大きな労力を要する階段の上り下りに対しても、ユーザにさらなるモチベーションを働かせることができる。これによって、階段に利用機会の増加を図ることができ、ユーザの健康を促進できる。一方、店舗では、他フロアの売上増加も期待できる。これによって、ユーザと、店舗との双方でメリットを享受できる。
【００１２】
上記を解決するためこの発明の他の態様にかかる特典付与装置は、前記特典付与装置は、さらに、前記ユーザの識別情報を含む属性情報と前記属性情報と紐づけられた第４の特典を表す情報とを蓄積したサーバとの間で、情報の転送が可能であり、前記付与処理部は、前記ユーザの識別情報に基づいて前記サーバから当該識別情報を含む属性情報に紐づけられた第４の特典を表す情報を取得し、当該取得された第４の特典を表す情報に基づいて、当該情報により表される第４の特典を前記携帯端末または前記ユーザに対し付与するための処理を、さらに実行する。
【００１３】
この構成によれば、ユーザ属性に適した特典をユーザに付与できる。すなわち、単身者には単身者の好みに合致した特典を付与したり、女性には女性に好みに合致した特典を付与したりすることができる。これによって、よりユーザの属性に適した特典を付与することができ、ユーザのメリットの増加と、店舗での売上増加と、の両方を実現できる。
【００１４】
上記を解決するためこの発明の他の態様にかかる特典付与装置は、前記ユーザの生体データを含む計測情報を取得する計測情報取得部を、さらに備え、前記付与処理部は、前記取得された計測情報に含まれる生体データの値が予め設定された標準的な範囲から外れている場合に、健康に寄与する商品又はサービスに関する第５の特典を付与するための処理を、さらに実行する。
【００１５】
この構成によれば、例えば健康状態が良好でないユーザに対して、健康に寄与する商品（例えば、食品、器具）の購入を促すことができる。これによって、ユーザの健康状態の改善と店舗の売上向上の両方を実現できる。
【００１６】
上記を解決するためこの発明の他の態様にかかる特典付与装置において、前記所定のエリアは、複数の店舗からなる商業施設を含むように設定される。
【００１７】
この構成によれば、いわゆる大型の商業施設などにおいて売上促進を図ることができる。
【００１８】
上記を解決するためこの発明の他の態様にかかる特典付与装置において、前記第１、第２、第３、第４、および第５の各特典は、前記複数の店舗に共通する特典である。
【００１９】
この構成によれば、ユーザで受けられるメリットが大きくなるだけでなく、商業施設側でも売上増加のメリットが得られる。
【００２０】
上記を解決するためこの発明の他の態様にかかる特典付与装置は、前記特典付与装置は、複数の前記商業施設の施設内の地図情報を蓄積したサーバとの間で情報転送が可能であり、前記付与処理部は、前記起算点に対応する地点を含むフロアとは異なるフロアの前記店舗に関係する１以上の第６の特典を前記携帯端末または前記ユーザに対し付与するための処理を、さらに実行する。
【００２１】
この構成によれば、売上を増加させたい特定の店舗やフロアにユーザを導くことができ、これによって、当該店舗およびフロアの販売促進を図ることができる。また、ユーザにとっても歩行距離が長くなることになり、ユーザの健康増進が見込まれる。
【００２２】
上記を解決するためこの発明の他の態様にかかる特典付与装置は、前記所定のエリアは、単一の店舗を含むように設定される。
【００２３】
この構成によれば、大型商業施設でない独立の店舗においても、ユーザの健康促進と店舗の売上増加を図ることができる。
【００２４】
上記を解決するためこの発明の他の態様にかかる特典付与装置において、前記起算点は、最初に前記エリア内に携帯端末が位置すると判定された時点である。
【００２５】
この構成によれば、ユーザが店舗内を歩いた場合に限って、ユーザに特典を付与できるため、ユーザの歩行を直接的に店舗の売上増加につなげることができる。
【００２６】
上記を解決するためこの発明の他の態様にかかる特典付与装置は、前記１以上の特典は、複数であり、前記複数の特典のうち１以上を選択可能に前記複数の特典を前記ユーザに提示する制御部を、さらに有する。
【００２７】
この構成によれば、ユーザが好みに合わせて特典を取捨選択することができ、さらにユーザにとってメリットの大きい特典付与システムを実現できる。
【００２８】
上記を解決するためこの発明の他の態様にかかる特典付与装置において、前記特典は、割引クーポンまたは割引ポイントである。
【００２９】
この構成によれば、ユーザの利益および店舗の売上増加に直結する特典を実現することができる。
【００３０】
上記を解決するためこの発明の１つの態様にかかる特典付与方法は、プロセッサおよび記憶媒体を備える特典付与装置が実行する特典付与方法であって、携帯端末の位置情報を取得し、前記位置情報に基づき前記携帯端末が所定のエリア内にあるか否かを判定し、前記携帯端末を持つユーザの起算点からの歩数をカウントし、前記携帯端末が所定のエリア内にあると判定された場合で、前記歩数が所定の閾値を超えた場合に前記携帯端末に少なくとも複数の特典を付与する。
【００３１】
この構成によれば、ユーザに対して歩行に対するモチベーションを付与できる。これによって、ユーザの歩行機会の増加が見込まれ、その結果ユーザの健康が促進される。一方、店舗としても売上増加のメリットを享受できる。したがって、ユーザ、店舗の双方にメリットがある特典付与のシステムを実現できる。
【００３２】
上記を解決するためこの発明の１つの態様にかかる特典付与プログラムは、上記特典付与装置が備える各部としてコンピュータを機能させる。
【００３３】
この構成によれば、上述の態様と同様の効果を発揮できる。
【発明の効果】
【００３４】
この発明によれば、ユーザの健康促進と店舗の売上増加との両方を実現でき、ユーザおよび店舗の間でwin-winの関係になる特典付与装置を提供できる。
【図面の簡単な説明】
【００３５】
【図１】図１は、実施形態に係るサーバおよびユーザ端末の適用例を示すブロック図である。
【図２】図２は、実施形態に係る携帯端末、血圧計、およびサーバのハードウェア構成を例示する模式図である。
【図３】図３は、実施形態に係る携帯端末、血圧計、およびサーバのソフトウェア構成を例示する模式図である。
【図４】図４は、実施形態に係る特典、第２の特典、および第３の特典を付与する動作フローを例示するフローチャートである。
【図５】図５は、第１変形例に係る第４の特典を付与する動作フローを例示するフローチャートである。
【図６】図６は、第２変形例に係る第５の特典を付与する動作フローを例示するフローチャートである。
【図７】図７は、第３変形例に係る第６の特典を付与する動作フローを例示するフローチャートである。
【発明を実施するための形態】
【００３６】
以下、本発明の一側面に係る実施の形態（以下、「本実施形態」とも表記する）を、図面に基づいて説明する。ただし、以下で説明する本実施形態は、あらゆる点において本発明の例示に過ぎない。なお、以降、説明済みの要素と同一または類似の要素には同一または類似の符号を付し、重複する説明については基本的に省略する。
【００３７】
§１  適用例  
図１は、本実施形態に係る特典付与装置１１の適用例を模式的に示す図である。
【００３８】
特典付与装置１１は、サーバ１２と、ユーザ端末１３と、を有する。サーバ１２は、ユーザ端末１３と通信を行うための通信部１４と、クーポンを発行できるか否かを判断し実際に電子クーポンを発行するクーポン管理部１６と、を有する。サーバ１２は、さらに、図示しない大型のストレージ部（記憶部）を有する。特典付与装置１１には、ユーザ端末１３を含まなくてもよい。
【００３９】
ユーザ端末１３は、サーバ１２と通信を行う通信部１５と、ユーザ端末１３を保持したユーザの歩数を検出する歩数検出部１７と、ＧＰＳ（Ｇｌｏｂａｌ Ｐｏｓｉｔｉｏｎｉｇ Ｓｙｓｔｅｍ）等を利用してユーザ端末１３の位置情報を取得する位置情報取得部１８と、を有する。
【００４０】
ユーザ端末１３では、歩数検出部１７においてユーザが実際に歩いた歩数を検出する。位置情報取得部１８は、ＧＰＳ、フェムトセル、ＢＬＥ（Ｂｌｕｅｔｏｏｔｈ（登録商標） Ｌｏｗ Ｅｎｅｒｇｙ）等を用いて位置情報を取得する。通信部１５は、このように得られた位置情報および歩数情報を無線等でサーバ１２の通信部１４に送る。
【００４１】
サーバ１２のクーポン管理部１６では、受領した歩数情報および位置情報から、ユーザに特典を付与してよいか否かを判定する。ユーザが特典付与基準を満たしている場合には、クーポン管理部１６は、通信部１４を介してユーザ端末１３に電子クーポンを送信する。通信部１４を介して受領したユーザ端末１３では、出力部に電子クーポンが表示されて、ユーザによって利用される。
【００４２】
§２  構成例  
［ハードウェア構成］
＜全体構成およびサーバ＞  
図２は、本実施形態に係る血圧計２１及び携帯端末２２を含む特典付与装置１１を例示する模式図である。特典付与装置１１には、携帯端末２２を含まなくてもよい。
【００４３】
血圧計２１は、対象者（ユーザ）の血圧を１拍毎に連続的に測定可能な血圧計（以下、連続瞬時血圧計とも称する）である。例えば、血圧計２１は、ウェアラブル型の血圧計である。血圧計２１は計測部の一例である。血圧計２１は、近距離無線通信を用いて、対象者の血圧データを携帯端末へ送信する。
【００４４】
携帯端末２２は、スマートフォンまたはタブレットなどである。携帯端末２２は、近距離無線通信を用いて、血圧計２１から血圧データを受信する。携帯端末２２は、ネットワークを介して、血圧データをサーバへ送信する。
【００４５】
サーバ１２は、ＣＰＵ２３（プロセッサ）、ＲＡＭ２４、ＲＯＭ２５、記憶装置２６、送受信機器２７を有する。記憶装置２６は、大容量のストレージ（ＨＤＤ（Ｈａｒｄ  Ｄｉｓｋ  Ｄｒｉｖｅ）またはＳＳＤ（Ｓｏｌｉｄ  Ｓｔａｔｅ  Ｄｒｉｖｅ））等の記録媒体である。記憶装置２６は、多数の対象者の血圧データや１以上の特典等を蓄積できる。サーバ１２は、ネットワークを介して、携帯端末２２から血圧データを受信する。サーバ１２は、各対象者に関連付けて血圧データを蓄積する。送受信機器２７は、携帯電話の基地局および有線の通信ネットワークを含む概念である。
【００４６】
＜血圧計＞  
血圧計２１は、制御部３１と、記憶部３２と、通信インタフェース３３と、入力部３４と、出力部３５と、生体センサ３６と、バッテリ３７と、ＧＰＳ受信機３８とが電気的に接続されたコンピュータである。
【００４７】
制御部３１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などを含む。ＣＰＵは、プロセッサの一例である。ＣＰＵは、記憶部３２に格納されたプログラムをＲＡＭに展開する。そして、ＣＰＵがこのプログラムを解釈及び実行することで、制御部３１は、様々な情報処理、例えば、ソフトウェア構成の項目において説明される各ブロックの処理を実行可能となる。
【００４８】
記憶部３２は、いわゆる補助記憶装置であり、例えば、内蔵または外付けのフラッシュメモリなどの半導体メモリ、ＨＤＤまたはＳＳＤであり得る。記憶部３２は、制御部３１で実行されるプログラム、制御部３１によって使用されるデータ及び後述する血圧データなどを記憶する。プログラムは、制御部３１を動作させる命令ということもできる。
【００４９】
通信インタフェース３３は、近距離無線通信用のモジュールを含む。近距離無線通信は、例えばブルートゥース（登録商標）による通信であるが、これに限定されない。通信インタフェース３３は、近距離無線通信を用いて、携帯端末２２と直接的に通信する。
【００５０】
入力部３４は、例えば、タッチスクリーン、ボタン、スイッチなどのユーザ入力を受け付けるための装置である。
【００５１】
出力部３５は、例えば、ディスプレイ、スピーカなどの出力を行うための装置である。
【００５２】
生体センサ３６は、対象者の血圧を測定することで血圧データを取得する。生体センサ３６の動作は、例えば図示されないセンサ制御部によって制御される。例えば、生体センサ３６は、記憶部３２に記憶されている血圧データの測定スケジュールに沿って対象者の血圧を測定する。測定スケジュールは、一日のうちで血圧計による血圧の測定の実行に関連付けられている少なくとも１以上の時間帯を規定する。例えば、血圧データは、収縮期血圧ＳＢＰ（Ｓｙｓｔｏｌｉｃ  Ｂｌｏｏｄ  Ｐｒｅｓｓｕｒｅ）及び拡張期血圧ＤＢＰ（Ｄｉａｓｔｏｌｉｃ  Ｂｌｏｏｄ  Ｐｒｅｓｓｕｒｅ）の値と脈拍数とを含み得るが、これらに限定されない。さらに、血圧データは、血圧の測定日時を含む。測定日時は、血圧計が備える時計機能によって検出される。さらに、血圧データは、血圧の測定場所を含んでいてもよい。血圧の測定場所は、後述する血圧計の位置情報に基づいて制御部３１によって検出される。血圧データは、血圧計２１が取得する生体データの一例である。例えば、生体データは、血圧データ以外にも、心電、脈拍数、体温などの生体情報を示すデータであってもよい。
【００５３】
生体センサ３６は、脈波伝播時間（ＰＴＴ：Ｐｕｌｓｅ  Ｔｒａｎｓｉｔ  Ｔｉｍｅ）から対象者の血圧を測定してもよいし、トノメトリ法または他の技法により測定してもよい。
【００５４】
バッテリ３７は、血圧計２１の電源電圧を供給する。バッテリ３７は、交換可能であってもよい。
【００５５】
ＧＰＳ受信機３８は、複数のＧＰＳ衛星から送信される複数のＧＰＳ信号をそれぞれ受信し、各ＧＰＳ信号を制御部へ出力する。制御部３１は、各ＧＰＳ信号に基づいて測距演算を行うことで、血圧計の位置情報を算出することができる。
【００５６】
なお、血圧計２１の具体的なハードウェア構成に関して、実施形態に応じて、適宜、構成要素の省略、置換及び追加が可能である。例えば、制御部は、複数のプロセッサを含んでもよい。血圧計２１は、複数台のセンサ装置で構成されてもよい。
【００５７】
＜携帯端末＞  
図２は、携帯端末２２のハードウェア構成の一例を模式的に示す。
【００５８】
携帯端末２２は、制御部５１と、記憶部５２と、加速度センサ５３と、通信インタフェース（送受信部５４）と、入力部５７と、出力部５８と、バッテリ５５、ＧＰＳ受信機５６とが電気的に接続されたコンピュータである。加速度センサ５３は、携帯端末２２の姿勢を検出できる。さらに、加速度センサ５３は、携帯端末２２をもつユーザが実際に歩いた歩数を検出したり、或いは、携帯端末２２をもつユーザが階段を昇降する際の歩数（昇降歩数）を検出したりすることができる。携帯端末２２には、ＧＰＳ受信機５６に加えて、さらに、フェムトセル用の受信機や、ＢＬＥ（Bluetooth（登録商標） Low Energy）用の受信機が搭載されていてもよい。
【００５９】
制御部５１は、ＣＰＵ、ＲＯＭ、ＲＡＭなどを含む。ＣＰＵは、プロセッサの一例である。ＣＰＵは、記憶部５２に格納されたプログラムをＲＡＭに展開する。そして、ＣＰＵがこのプログラムを解釈及び実行することで、制御部５１は、様々な情報処理、例えば、ソフトウェア構成の項目において説明される各ブロックの処理を実行可能となる。制御部５１は、後述する複数の特典（第１の特典、第２の特典、第３の特典、第４の特典、第５の特典）のうち１以上を選択可能に複数の特典をユーザに提示できる。
【００６０】
記憶部５２は、いわゆる補助記憶装置であり、例えば、内蔵または外付けのフラッシュメモリなどの半導体メモリであり得る。記憶部５２は、制御部５１で実行されるプログラム、制御部５１によって使用されるデータなどを記憶する。記憶部５２は、携帯端末２２が血圧計２１から受信した血圧データを記憶する。プログラムは、制御部５１を動作させる命令ということもできる。
【００６１】
通信インタフェース（送受信部５４）は、近距離無線通信、移動通信（３Ｇ、４Ｇなど）及びＷＬＡＮ（Ｗｉｒｅｌｅｓｓ  Ｌｏｃａｌ  Ａｒｅａ  Ｎｅｔｗｏｒｋ）などのための各種無線通信モジュールを含む。近距離無線通信は、例えばブルートゥースによる通信であるが、これに限定されない。近距離無線通信用の無線通信モジュールは、血圧計２１から血圧データを受信する。移動通信用の無線通信モジュールまたはＷＬＡＮ用の無線通信モジュールは、ネットワークを介して、血圧データや各種データ等をサーバ１２へ送信する。
【００６２】
入力部５７は、例えばタッチスクリーンなどのユーザ入力を受け付けるための装置である。
【００６３】
出力部５８は、例えば、ディスプレイ、スピーカなどの出力を行うための装置である。
【００６４】
バッテリ５５は、携帯端末２２の電源電圧を供給する。バッテリ５５は、交換可能であってもよい。
【００６５】
なお、携帯端末２２の具体的なハードウェア構成に関して、実施形態に応じて、適宜、構成要素の省略、置換及び追加が可能である。例えば、制御部５１は、複数のプロセッサを含んでもよい。
【００６６】
［ソフトウェア構成］  
＜サーバ＞  
サーバ１２のソフトウェア構成を図３に示す。サーバ１２は、携帯端末２２の位置情報を取得する取得部６１と、前記位置情報により携帯端末２２が所定のエリア内にあるか否かを判定する判定部６２と、携帯端末２２に１以上の特典（第１の特典、第２の特典、第３の特典、第４の特典、第５の特典）を付与する付与処理部６３と、携帯端末２２との間で通信を行う送受信部６８と、を有する。
【００６７】
サーバ１２の記憶装置２６は、国内の商業施設又は独立店舗の敷地又は建物に対応する位置情報を地図上の領域（所定のエリア）情報として記憶している。サーバの記憶装置２６は、前記商業施設又は独立店舗の内部の地図情報（各フロアのフロア情報）と、前記商業施設の内部にある店舗に関する情報と、を記憶している。
【００６８】
この場合、商業施設の概念には、複数の店舗を含む大型の商業施設、ショッピングモールが含まれる。独立店舗とは、上記大型商業施設とは異なり、単一の店舗のみで構成されるものをいう。判定部６２は、ユーザが商業施設又は独立店舗内にいるか否かを判断する際に、この地図上の領域情報を参照することができる。
【００６９】
サーバ１２の記憶装置２６には、第１閾値として、例えば、１０００歩が記憶され、第２閾値として、例えば、１５００歩が記憶され、第３閾値として、例えば、３０歩が記憶される。第１〜第３閾値は、一例であり、商業施設や店舗の広さなどの物理的環境や、気温や湿度等の気候などの周辺環境に応じて適宜に増減できる。第１閾値として、例えば、５００〜１５００歩が記憶されてもよい。第２閾値として、例えば、１０００〜２０００歩が記憶されてもよい。第２閾値として、例えば、２０〜５０歩が記憶されてもよい。サーバ１２の記憶装置２６には、第１の特典、第２の特典、および第３の特典が記憶される。第１の特典、第２の特典、および第３の特典は、互いに異なる特典となっている。これら第１の特典、第２の特典、および第３の特典の詳細については後述する。
【００７０】
これらサーバ１２の各部（取得部６１、判定部６２、付与処理部６３）は、記憶装置２６にインストールされるソフトウェア（プログラム）で実現され、ＲＡＭ等に展開されて実行される。取得部６１、判定部６２、および付与処理部６３は、携帯端末２２の記憶部５２にインストールされたアプリケーションとして実現されていても当然によい。
【００７１】
＜血圧計＞  
計測情報取得部６４は、ユーザの血圧データを取得する。計測情報取得部６４で取得された血圧データは、通信インタフェース３３を介して、随時、近距離無線通信で携帯端末２２の送受信部５４に送信される。計測情報取得部６４は、記憶部３２にインストールされるソフトウェア（プログラム）で実現され、ＲＡＭ等に展開されて実行される。
【００７２】
＜携帯端末＞  
［ソフトウェア構成］  
図３は、携帯端末２２のソフトウェア構成の一例を模式的に示す。
【００７３】
携帯端末２２は、制御部５１と、起算点からのユーザ（携帯端末２２をもつユーザ）の歩数をカウントできる歩数算出部６５と、起算点からユーザ（携帯端末２２をもつユーザ）が階段を昇降する際の歩数（昇降歩数）をカウントする第２歩数算出部６６と、サーバ１２との間で無線通信を行う送受信部５４と、ＧＰＳを受信するＧＰＳ受信部６７と、時計機能を担う図示しない時計部と、を有する。歩数算出部６５および第２歩数算出部６６は、主として加速度センサ５３を用いてユーザの歩数および昇降歩数をカウントしているが、他の方法（ＧＰＳ等を用いた位置情報）によってこれらをカウントしても当然によい。携帯端末２２には、ＧＰＳ受信部６７に加えて、さらに、フェムトセル用の受信部や、ＢＬＥ（Bluetooth(登録商標) Low Energy）用の受信部が搭載されていてもよい。
【００７４】
制御部５１は、歩数算出部６５で得られたユーザの歩数に関する情報を送受信部５４を介してサーバ１２の取得部６１に送ることができる。制御部５１は、第２歩数算出部６６で得られたユーザの昇降歩数に関する情報を送受信部５４を介してサーバ１２の取得部６１に送ることができる。制御部５１は、付与処理部６３から付与された各種の特典を出力部５８に出力（表示）させることができる。ＧＰＳ受信部６７は、送受信部５４を介してＧＰＳによる位置情報をサーバ１２の取得部６１に送ることができる。
【００７５】
携帯端末２２の各部は、記憶部５２にインストールされるソフトウェア（プログラム）で実現され、ＲＡＭ等に展開されて実行される。
【００７６】
§３  動作例  
＜第１の特典付与＞  
図４を参照して、本実施形態の動作例および特典付与方法について説明する。図４は、特典付与装置１１の処理手順の一例を示すフローチャートである。なお、以下で説明する処理手順は一例に過ぎず、各処理は可能な限り変更されてよい。以下では、主として複数の店舗が含まれる大型商業施設内をユーザが移動する場合を例に説明しているが、この例に限られず、単一の店舗内をユーザが移動する場合であってもよい。また、以下で説明する処理手順について、適宜、ステップの省略、置換、及び追加が可能である。
【００７７】
携帯端末２２の制御部５１は、一定の時間間隔毎に、携帯端末２２の位置情報をＧＰＳ受信部６７を介して取得し、送受信部５４を介してサーバ１２の取得部６１に送る。したがって、サーバ１２では、取得部６１において、一定の時間間隔毎に、携帯端末２２の位置情報を取得することとなる。取得部６１は、この位置情報を判定部６２に送る。
【００７８】
ユーザが携帯端末２２を起動した状態で、商業施設内に立ち入ると、判定部６２は、ユーザが商業施設内（所定のエリア内）にいるか否かを判定する（ステップＳ１１）。判定部６２が、ユーザが商業施設内にいると判定した場合には、判定部６２が携帯端末２２の制御部５１に向けて歩数カウント開始の信号を送る。この信号を受領したとき、制御部５１は、時計部から起算点となる時刻を取得する。このとき、制御部５１は、当該時刻とともに、起算点に対応する位置情報をＧＰＳ受信部６７を介して取得してもよい。これによって、制御部５１は、歩数算出部６５を制御してユーザの歩数をカウントするとともに、第２歩数算出部６６を制御してユーザの昇降歩数をカウントする（ステップＳ１２）。ユーザは、これらを意識することなく、買い物したり、商業施設からサービスの提供を受けたりすることができる。
【００７９】
制御部５１は、一定の時間間隔で、ユーザの歩数（歩数情報）を取得し、歩数値として付与処理部６３に送信する。このため、付与処理部６３では、一定の時間間隔で、制御部５１からユーザの歩数を取得できる。付与処理部６３が取得した歩数が所定の閾値、例えば第１閾値（例えば、１０００歩）を超えた場合には（ステップＳ１３）、判定部６２は、携帯端末２２の位置情報を取得する。携帯端末２２が商業施設内にあると判定された場合には（ステップＳ１４）、付与処理部６３は、携帯端末２２に１以上の第１の特典を送信する。１以上の第１の特典は、商品の割引クーポンであってもよいし、商品購入時に現金と等価に利用可能なポイントや割引ポイント、或いは仮想通貨等であってもよい。１以上の第１の特典は、複数の店舗に共通する特典であってもよい。
【００８０】
制御部５１は、複数の第１の特典のうち１以上を選択可能にこれらをユーザに提示してもよい（ステップＳ１５）。本実施形態では、複数の第１の特典のうちのいくつかをユーザが選択して利用可能としているが、これに限られるものではなく、複数の第１の特典すべてをユーザが利用可能としても当然によい。また、第１の特典の数は、１個でもよい。ユーザは、携帯端末２２を商業施設内で提示することで、この第１の特典を商品やサービスの購入時に適宜に利用できる。その後、この第１の特典を利用してユーザが商品やサービスを購入後、ユーザが商業施設を出た場合にはこの処理が完了する（ステップＳ１６）。
【００８１】
＜第２の特典の付与＞
ユーザが第１の特典を取得後も、さらに商業施設内に滞在し、商品やサービスの購入を継続する場合には、付与処理部６３は、再び一定の時間間隔で、制御部５１からユーザの歩数を取得する。付与処理部６３が取得した歩数（累積歩数）が第２閾値（例えば、１５００歩）を超えた場合には（ステップＳ１７）、判定部６２は、携帯端末２２の位置情報を取得する（ステップＳ１８）。携帯端末２２が商業施設内にあると判定された場合には、付与処理部６３は、携帯端末２２に複数の第２の特典を送信・付与する（ステップＳ１９）。第１閾値の歩数よりも大きい第２閾値の歩数が、さらなる健康維持に寄与すること鑑み、１以上の第２の特典は、例えば上記１以上の第１の特典よりも優れた内容（付加価値の度合いが高い）の特典としてもよい。
【００８２】
１以上の第２の特典は、前記１以上の特典よりも割引率の大きい商品の割引クーポンであってもよいし、商品購入時に現金と等価に利用可能なポイントや割引ポイント（前記複数の特典よりも大きいポイント）、或いは仮想通貨等であってもよい。１以上の第２の特典は、複数の店舗に共通する特典であってもよい。１以上の第２の特典は、１以上の特典よりも選択肢が広いものであってもよい。制御部５１は、複数の第２の特典のうち１以上を選択可能にこれらをユーザに提示してもよい。本実施形態では、複数の第２の特典のうちのいくつかをユーザが選択して利用可能としているが、これに限られるものではなく、複数の第２の特典すべてをユーザが利用可能としても当然によい。また、第２の特典の数は、１個でもよい。
【００８３】
ユーザは、携帯端末２２を商業施設内で提示することで、この複数の第２の特典を商品やサービスの購入時に適宜に利用できる。その後、この第２の特典を利用してユーザが商品やサービスを購入後、ユーザが商業施設を出た場合にはステップＳ１６と同様に、この処理が完了する（本フローではこのステップの図示を省略）。
【００８４】
＜第３の特典の付与＞
第３の特典の付与を開始するのに先立ち、すでに第３の特典の付与がなされているか否かをチェックする（ステップＳ２０）。第３の特典の付与がなされていない場合には、次のステップＳ２１に進む。本実施形態では、制御部５１は、一定の時間間隔で、ユーザの階段を昇降する際の歩数情報、すなわち昇降歩数情報を取得し、昇降歩数値として付与処理部６３に送信する。このため、付与処理部６３は、例えば、上記のように歩数を取得するのと同じタイミングで、ユーザの昇降歩数を取得できる。また、付与処理部６３が歩数を取得するタイミングと昇降歩数を取得するタイミングが異なっていてもよい。
【００８５】
昇降歩数が第３閾値（例えば、３０歩）を超えた場合には（ステップＳ２１）、判定部６２は、携帯端末２２の位置情報を取得する。携帯端末２２が商業施設内にあると判定された場合には（ステップＳ２２）、付与処理部６３は、携帯端末２２に１以上の第３の特典を送信し、制御部５１がユーザに１以上の第３の特典を付与する（ステップＳ２３）。階段昇降運動が健康維持に大きく寄与することに鑑み、１以上の第３の特典は、例えば、上記のように得られる複数の特典（第１の特典）よりも優れた内容（付加価値の度合いが高い）の特典としてもよい。優れた内容としては、例えば、値引き幅を前記複数の特典よりも大きくしたり選択肢を増やしたりする等、量的に優れている場合でもよいし、或いは、例えば、通常では得られない高級商品や高級サービスに対する値引きを可能にする等、質的に優れている場合でもよい。或いは、第３の特典は、例えば、上記のように得られる特典（第１の特典）よりも異質な内容の特典（例えば、栄養補給用の高カロリー商品や栄養ドリンク等に対する特典）としてもよい。
【００８６】
１以上の第３の特典は、商品の割引クーポンであってもよいし、商品購入時に現金と等価に利用可能なポイントや割引ポイント、或いは仮想通貨等であってもよい。第３の特典は、複数の店舗に共通する特典であってもよい。制御部５１は、複数の第３の特典のうち１以上を選択可能にこれらをユーザに提示してもよい。本実施形態では、複数の第３の特典のうちのいくつかをユーザが選択して利用可能としているが、これに限られるものではなく、複数の第３の特典すべてをユーザが利用可能としても当然によい。また、第３の特典の数は、１個でもよい。
【００８７】
ユーザは、携帯端末２２を商業施設内で提示することで、この第３の特典を商品やサービスの購入時に適宜に利用できる。１以上の第３の特典の付与により、本処理を終了する。
【００８８】
なお、本実施形態では、階段の上りと下りの両方を昇降歩数としているが、これに限られるものではない。例えば、下りの１歩を０．５歩相当として、階段の上りの一歩と下りの一歩の間で重みを変えてもよい。
【００８９】
＜第３の特典の先付与＞
ところで、上記処理フローの途中で、付与処理部６３が取得したユーザの歩数が第１閾値を超えてはいないが、ユーザが移動中に階段を利用したことにより、階段を昇降する際の昇降歩数が増加している場合がある。そのような場合を想定し、制御部５１では、一定の時間間隔で、ユーザの昇降歩数を取得し、付与処理部６３に送信する（ステップＳ１２）。このため、付与処理部６３は、上記のように歩数を取得するのと同じタイミングで、制御部５１からユーザの昇降歩数を取得する。昇降歩数が第３閾値（例えば、３０歩）を超えている場合には（ステップＳ１３、ステップＳ２４）、判定部６２は、携帯端末２２の位置情報を取得する。携帯端末２２が商業施設内にあると判定された場合には（ステップＳ２５）、付与処理部６３は、携帯端末２２に第３の特典を送信する（ステップＳ２６）。ユーザは、携帯端末２２を商業施設内で提示することで、この第３の特典を商品やサービスの購入時に適宜に利用できる。その後、この特典を利用してユーザが商品やサービスを購入後、ユーザが商業施設を出た場合にはこの処理が完了する。
【００９０】
このように、第３の特典が先付与された場合で、ユーザがその後も商業施設内に滞在する場合には、歩数が第１閾値を超えたときに、特典が付与され（ステップＳ１５）、歩数が第２閾値を超えたときに第２の特典が付与される（ステップＳ１９）。これによって本処理を完了する（ステップＳ２０）。
【００９１】
また、上記処理フローにおいて、歩数が閾値を超えているが、第２閾値を超えていない場合で、ユーザが移動中に階段を利用したことにより、階段を昇降する際の昇降歩数が増加している場合がある（ステップＳ１７、ステップＳ２７）。昇降歩数が第３閾値（例えば、３０歩）を超えている場合には、判定部６２は、すでに第３の特典が付与されたか否かを確認後（ステップＳ２７）、携帯端末の位置情報を取得する（ステップＳ２８）。携帯端末が商業施設内にあると判定された場合には（ステップＳ２９）、付与処理部６３は、携帯端末２２に第３の特典を送信する（ステップＳ３０）。ユーザは、携帯端末２２を商業施設内で提示することで、この第３の特典を商品やサービスの購入時に適宜に利用できる。その後、この特典を利用してユーザが商品やサービスを購入後、ユーザが商業施設を出た場合にはこの処理が完了する（本フローでは図示を省略する）。このように、第３の特典が先付与された場合で、ユーザがその後も商業施設内に滞在する場合には、歩数が第２閾値を超えたときに、第２の特典が付与される（ステップＳ１９）。これによって本処理を完了する（ステップＳ２０）。
【００９２】
［作用・効果］
以上のように、携帯端末２２を持つユーザが商業施設内を歩行することによって、第１の特典、第２の特典、および第３の特典が付与される。これによって、店内を歩くことに対してユーザにモチベーションを与えることができる。一般に、客が売り場を歩く距離が長くなると店舗の売上増加につながることが知られている。本実施形態によれば、ユーザに歩行や階段移動を促すことによって、ユーザの健康の維持および向上に貢献できるとともに、店舗の売上向上を図ることができる。これによって、ユーザ（お客）と店舗の双方が利益を得ることができる画期的な特典付与システムを実現できる。
【００９３】
§４  変形例
以下の変形例では、主として上記実施形態と異なる部分について説明し、上記実施形態と共通する箇所については、説明を省略する。
【００９４】
（変形例１）  
本変形例では、ユーザの属性情報に基づいて、顧客の属性に照らしてさらに精度の高い特典を付与できる特典付与装置１１および特典付与方法を実現する。本変形例では、サーバ１２の記憶装置２６に、ユーザの識別情報を含むユーザの属性情報が記憶されている。
【００９５】
図５を参照して、本実施形態の動作例について説明する。なお、以下で説明する処理手順は一例に過ぎず、各処理は可能な限り変更されてよい。また、以下で説明する処理手順について、適宜、ステップの省略、置換、及び追加が可能である。
【００９６】
携帯端末２２の制御部５１は、一定の時間間隔毎に、携帯端末２２の位置情報をＧＰＳ受信部６７を介して取得し、送受信部５４を介してサーバ１２の取得部６１に送る。したがって、サーバ１２では、取得部６１において、一定の時間間隔毎に、携帯端末２２の位置情報を取得することとなる。取得部６１は、この位置情報を判定部６２に送る。
【００９７】
ユーザが携帯端末２２を起動した状態で、商業施設内に立ち入ると、判定部６２は、ユーザが商業施設内（所定のエリア内）にいるか否かを判定する（ステップＳ４１）。ユーザが商業施設内にいると判定された場合には、判定部６２は、携帯端末２２の制御部５１に向けて歩数カウント開始の信号を送る。これによって、制御部５１は、起算点となる時刻を設定し、歩数算出部６５を制御してユーザの歩数をカウントする（ステップＳ４２）。その後、サーバ１２の取得部６１および判定部６２は、携帯端末２２の位置情報を一定の時間間隔で取得して、ユーザが商業施設内にいるか否かを判定する（ステップＳ４３）。ユーザは、これらを意識することなく、商業施設内で買い物したり、商業施設からサービスの提供を受けたりできる。
【００９８】
制御部５１は、一定の時間間隔で、ユーザの歩数を取得し、付与処理部６３に送信する。付与処理部６３では、一定の時間間隔毎に、制御部５１からユーザの歩数を取得できる。付与処理部６３が取得した歩数が第１閾値（例えば、１０００歩）以下である場合には、さらに一定の時間間隔で、位置情報の確認すなわちユーザが商業施設内にいるか否かのチェックと、カウント開始（起算点）からの累積の歩数のチェックと、を行う（ステップＳ４３、ステップＳ４４）。
【００９９】
付与処理部６３が取得した歩数が第１閾値（例えば、１０００歩）を超えた場合には（ステップＳ４４）、制御部５１は、送受信部５４（送信部）を介して予め制御部５１内に登録してあるユーザのＩＤをサーバの付与処理部６３に送る（ステップＳ４５）。一方、サーバ１２の記憶装置２６には、ユーザ毎に蓄積されたユーザの属性情報（例えば、性別、年齢、購入履歴、家族構成等）と、ユーザの属性情報と紐づいた複数の第４の特典の情報と、が蓄積されている。例えば、２０代独身（男性）という属性には、即席カップめん、コーヒー飲料、アルコール飲料、栄養ドリンク等に対する複数の第４の特典（割引クーポン、割引ポイント）が紐づけられている。同様に、例えば、３０代既婚（女性）という属性には、衣料品、化粧品、貴金属、健康食品、美容施術等に対する複数の第４の特典（割引クーポン、割引ポイント）が紐づけられている。
【０１００】
付与処理部６３は、制御部５１に１以上の第４の特典を送信する（ステップＳ４６）。制御部５１は、ユーザが商業施設内にいることを確認後（ステップＳ４７）、このような１以上の第４の特典を実際に付与する（ステップＳ４８）。１以上の第４の特典は、商品の割引クーポンであってもよいし、商品購入時に現金と等価に利用可能なポイントや割引ポイントであってもよい。制御部５１は、複数の第４の特典のうち１以上を選択可能にこれらをユーザに提示してもよい。本実施形態では、複数の第４の特典のうちのいくつかをユーザが選択して利用可能としているが、これに限られるものではなく、複数の第４の特典すべてをユーザが利用可能としても当然によい。また、第４の特典の数は、１個でもよい。
【０１０１】
１以上の第４の特典は、複数の店舗に共通する特典であってもよい。ユーザは、携帯端末２２を商業施設内で提示することで、この第４の特典を商品やサービスの購入時に適宜に利用できる。これら１以上の第４の特典が付与されたことで、この処理が完了する。
【０１０２】
第１変形例によれば、ただ闇雲に特典を付与するのではなく、ユーザの好みに応じた特典を、ユーザ毎により高精度に付与することができる。このため、実際に１以上の第４の特典を付与されたユーザは、当該１以上の第４の特典が自己の好みと合致しているために、１以上の第４の特典を実際に使って商品やサービスを購入する可能性が、単なる割引クーポンに比して高くなる。このため、ユーザ・店舗の双方にメリットがある特典付与装置１１が実現できる。
【０１０３】
（変形例２）  
本変形例では、ユーザの生体データに基づいて、さらに精度の高い特典を付与できる特典付与装置１１および特典付与方法を実現する。
【０１０４】
図６を参照して、本実施形態の動作例について説明する。なお、以下で説明する処理手順は一例に過ぎず、各処理は可能な限り変更されてよい。また、以下で説明する処理手順について、適宜、ステップの省略、置換、及び追加が可能である。
【０１０５】
携帯端末２２の制御部５１は、一定の時間間隔毎に、携帯端末２２の位置情報をＧＰＳ受信部６７を介して取得し、送受信部５４を介してサーバ１２の取得部６１に送る。したがって、サーバ１２では、取得部６１において、一定の時間間隔毎に、携帯端末２２の位置情報を取得することとなる。取得部６１は、この位置情報を判定部６２に送る。
【０１０６】
ユーザが携帯端末２２および血圧計２１を起動した状態で、商業施設内に立ち入ると、判定部６２は、ユーザが商業施設内（所定のエリア内）にいるか否かを判定する（ステップＳ６１）。判定部６２が、ユーザが商業施設内にいると判定した場合には、判定部６２が携帯端末２２の制御部５１に向けて歩数カウント開始の信号を送る。これによって、制御部５１は、起算点となる時刻を設定し歩数算出部６５を制御してユーザの歩数をカウントする（ステップＳ６２）。これと同時に、制御部５１は、近距離無線通信で血圧計２１の計測情報取得部６４に対して血圧測定開始の信号を送る。これによって血圧計２１の計測情報取得部６４がユーザの情報（血圧等の生体データ）を計測し、計測情報に含まれる生体データを一定の時間間隔で携帯端末２２の制御部５１に近距離無線通信で送る（ステップＳ６３）。ユーザは、これらを意識することなく、商業施設内で買い物したり、商業施設からサービスの提供を受けたりできる。
【０１０７】
なお、本実施形態では、生体データの一例として血圧を利用しているが、生体データはこれに限られるものではない。生体データは、血圧データ以外にも、心電、脈拍数、体温などの生体情報を示すデータであってもよい。
【０１０８】
歩数のカウント開始から一定時間の経過後、サーバ１２の取得部６１および判定部６２は、携帯端末２２の位置情報を取得して、ユーザが商業施設内にいるか否かを判定する（ステップＳ６４）。ユーザが商業施設内にいないと判断された場合には、そのまま処理を完了する。ユーザが商業施設内にいると判断された場合には、制御部５１は、一定の時間間隔でユーザの歩数を取得し、付与処理部６３に送信する。したがって、付与処理部６３では、一定の時間間隔毎に、制御部５１からユーザの歩数を取得できる。付与処理部６３が取得した歩数が第１閾値（例えば、１０００歩）以下である場合には、さらに一定時間経過後に、位置情報の確認すなわちユーザが商業施設内にいるか否かのチェックと、カウント開始（起算点）からの累積の歩数のチェックと、を行う（ステップＳ６４、ステップＳ６５）。
【０１０９】
付与処理部６３が取得した歩数が第１閾値（例えば、１０００歩）を超えた場合には（ステップＳ６５）、制御部５１は、最新の生体データ（血圧データ）をサーバ１２の付与処理部６３に送る。血圧等の生体データが正常値の範囲内にある場合には（ステップＳ６６）、付与処理部６３は、ユーザが商業施設内にいることを条件に（ステップＳ６７）、１以上の第１の特典を付与する（ステップＳ６８）。この場合、正常値の血圧とは、一例として、収縮期血圧（上）が１００〜１３９ｍｍＨｇの範囲内にあり、且つ収縮期血圧（下）が６０〜８９ｍｍＨｇの範囲内にあることをいう。なお、血圧の正常値は、時代とともに変化するものであるため、上記範囲は一例であり、新しく更新された正常値の範囲に合わせて適宜に設定できる。このように血圧が正常値の範囲内にあるユーザに付与される特典は、上記実施形態の特典と同様である。
【０１１０】
一方、血圧等の生体データが正常値にないユーザに対しては（ステップＳ６６）、ユーザが商業施設内にいることを条件に（ステップＳ６９）、付与処理部６３は複数の第５の特典を付与する（ステップＳ７０）。１以上の第５の特典の例としては、野菜、納豆、豆腐、その他健康食品など、健康に寄与する食品を割引する割引クーポンやポイントを付与することが挙げられるが、これに限定されるものではない。１以上の第５の特典としては、健康に寄与する器具（例えば、運動補助器具）や、運動を行うための有料エクササイズレッスン（サービス）、各種マッサージサービス、或いは、血圧を下げるサプリメント等を割引する割引クーポンやポイントを付与するものであってもよい。
【０１１１】
制御部５１は、複数の第５の特典のうち１以上を選択可能にこれらをユーザに提示してもよい。本実施形態では、複数の第５の特典のうちのいくつかをユーザが選択して利用可能としているが、これに限られるものではなく、複数の第５の特典すべてをユーザが利用可能としても当然によい。また、第５の特典の数は、１個でもよい。
【０１１２】
１以上の第５の特典は、複数の店舗に共通する特典であってもよい。ユーザは、携帯端末２２を商業施設内で提示することで、これら１以上の第５の特典を商品やサービスの購入時に適宜に利用できる。これら１以上の第５の特典が付与されたことで、この処理が完了する。
【０１１３】
第２変形例によれば、例えば、血圧等が高いユーザに対して、例えば、脂質が多い商品や塩分の多い食品の割引クーポンを付与してしまう等のミスマッチを生じることを防止できる。そして、ユーザの健康状態に合わせた最適な商品やサービスについての特典を付与することで、ユーザおよび店舗の双方にメリットがある特典付与装置を実現できる。
【０１１４】
（変形例３）  
本変形例では、商業施設内の他のフロアに向けてユーザを案内できる特典付与装置１１および特典付与方法を実現する。
【０１１５】
図７を参照して、本実施形態の動作例について説明する。なお、以下で説明する処理手順は一例に過ぎず、各処理は可能な限り変更されてよい。また、以下で説明する処理手順について、適宜、ステップの省略、置換、及び追加が可能である。
【０１１６】
ユーザが携帯端末２２を起動した状態で、商業施設内に立ち入ると、判定部６２は、ユーザが商業施設内（所定のエリア内）にいるか否かを判定する（ステップＳ８１）。判定部６２が、ユーザが商業施設内にいると判定した場合には、判定部６２が携帯端末２２の制御部５１に向けて歩数カウント開始の信号を送る。これによって、制御部５１は、歩数算出部６５を制御してユーザの歩数をカウントする（ステップＳ８２）。ユーザは、これらを意識することなく、商業施設内で買い物したり、商業施設からサービスの提供を受けたりする。
【０１１７】
歩数のカウント開始から一定時間の経過後、サーバ１２の取得部６１および判定部６２は、携帯端末２２の位置情報を取得して、ユーザが商業施設内にいるか否かを判定する（ステップＳ８３）。ユーザが商業施設内にいないと判断された場合には、そのまま処理を完了する。ユーザが商業施設内にいると判断された場合には、制御部５１は、一定の時間間隔でユーザの歩数を取得し、付与処理部６３に送信する。したがって、付与処理部６３では、一定の時間間隔毎に、制御部５１からユーザの歩数を取得できる。付与処理部６３が取得した歩数が第１閾値（例えば、１０００歩）以下である場合には、さらに一定時間経過後に、判定部６２が位置情報の確認すなわちユーザが商業施設内にいるか否かのチェックを行い、付与処理部６３がカウント開始（起算点）からの累積の歩数のチェックを行う（ステップＳ８３、ステップＳ８４）。
【０１１８】
付与処理部６３が取得した歩数が第１閾値（例えば、１０００歩）を超えた場合には、付与処理部６３は、ユーザが商業施設内にいることを条件に（ステップＳ８５）、起算点に対応するフロアとは別フロアに関係する１以上の第６の特典をユーザに付与する（ステップＳ８６）。このとき、１以上の第６の特典の例としては、別フロアにある店舗の商品やサービスについての割引クーポンや割引ポイントが挙げられる。この１以上の第６の特典は、遠くにある店舗や売り場ほど、特典の量や質を向上してもよい。
【０１１９】
制御部５１は、複数の第６の特典のうち１以上を選択可能にこれらをユーザに提示してもよい。本実施形態では、複数の第６の特典のうちのいくつかをユーザが選択して利用可能としているが、これに限られるものではなく、複数の第６の特典すべてをユーザが利用可能としても当然によい。また、第６の特典の数は、１個でもよい。
【０１２０】
１以上の第６の特典は、複数の店舗に共通する特典であってもよい。ユーザは、携帯端末２２を商業施設内で提示することで、この第６の特典を商品やサービスの購入時に適宜に利用できる。これら１以上の第６の特典が付与されたことで、この処理が完了する。
【０１２１】
第３変形例によれば、歩数の条件を満たしたユーザに対して、起算点に対応するフロアとは異なる他のフロアにユーザを導くことができる。このため、店舗としては、売り上げを増加させたいフロアや店舗に対してユーザ（お客）を導くことができる。これによって、特典の恩恵を受けるユーザと、特定のフロアや店舗について売り上げを強化したい店舗と、の双方にメリットがある特典付与装置を実現できる。
【０１２２】
（その他の変形例）
この発明は、上記の実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素からいくつかの構成要素を削除してもよい。さらに、実施形態の構成要素と、変形例の構成要素と、を適宜組み合わせて１つの発明を実現しても当然によい。
【０１２３】
ここで、発明の１つの形態について付記する。
［１］
携帯端末２２との間で情報転送が可能な特典付与装置１１であって、
前記携帯端末２２からその位置情報を取得する取得部６１と、
前記位置情報により前記携帯端末２２が所定のエリア内にあるか否かを判定する判定部６２と、
前記携帯端末２２から当該前記携帯端末２２を持つユーザの歩数を表す歩数情報を取得し、当該歩数情報をもとに所定の起算点からの歩数値を算出する歩数算出部６５と、
前記判定部６２で前記携帯端末２２が所定のエリア内にあると判定された場合で、前記算出された歩数値が所定の閾値を超えた場合に、前記携帯端末２２またはユーザに対し予め設定された１以上の第１の特典を付与するための処理を実行する付与処理部６３と、
を備える特典付与装置。
【符号の説明】
【０１２４】
１１…特典付与装置
１２…サーバ
２１…血圧計
２２…携帯端末
５１…制御部
５４…送受信部
６１…取得部
６２…判定部
６３…付与処理部
６４…計測情報取得部
６５…歩数算出部
６６…第２歩数算出部
【図１】
2020017121.tif 000003
【図２】
2020017121.tif 000004
【図３】
2020017121.tif 000005
【図４】
2020017121.tif 000006
【図５】
2020017121.tif 000007
【図６】
2020017121.tif 000008
【図７】
2020017121.tif 000009